(57)【特許請求の範囲】
【請求項１】
棚の前側左右杆及び後側左右杆の端部を、１対の前側支柱及び１対の後側支柱に、ある高さ位置で着脱することにより、上記棚高さを変更するようにした棚装置において、
上記棚の前側左右杆及び後側左右杆の端部の１対の前側支柱及び１対の後側支柱への着脱を、上記１対の前側支柱の前面に設けた係止孔、及び上記１対の後側支柱の前面に設けた係止孔に、上記棚の前側左右杆及び後側左右杆の端部に設けた係止爪を、上方から下方へ引っ掛けて係止することにより行うようにし、
かつ前側支柱の後面に、間隔を有する左右１対の後向きの突片を突設するとともに、後側支柱の前面に、間隔を有する左右１対の前向きの突片を突設し、左右に並ぶ上記突片の間に、前側支柱と後側支柱の間にまたがる前後渡架杆の両端部に形成した偏平部を、カラーを重合して取付けたことを特徴とする棚装置。
【発明の詳細な説明】
【０００１】
【発明の属する技術分野】
本発明は、前方から棚高さを調節しうる棚装置に関する。
【０００２】
【従来の技術】
従来、棚の前側左右杆及び後側左右杆の端部を、１対の前側支柱及び１対の後側支柱に、ある高さ位置で着脱することにより、棚の高さを変更するように構成した棚装置において、前側左右杆の１対の前側支柱への着脱は、作業者が前側に立って、前側左右杆の両端部を１対の前側支柱の前面側に着脱することにより行われており、後側左右杆の１対の後側支柱への着脱は、作業者が棚装置の後側に立って、後側左右杆の両端部を１対の後側支柱の後面側に、着脱することにより行われている。
【０００３】
【発明が解決しようとする課題】
従って、棚装置の後側に、作業のための一定のスペースが必要であり、棚装置を建物の後壁面に密着して設置している場合には、作業のために、棚装置を一旦前方に動かさなければならなかった。
【０００４】
また、棚装置を前後方向に密着して２つ設置した場合も、作業スペースを確保するために、両棚装置を離間させなければならなかった。
【０００５】
これらの場合において、特に棚装置に被載置物が載置されている場合には、それらの被載置物を一旦棚装置から取り除いて棚装置全体を軽くした上で、棚装置を移動させなければならず、甚だ面倒であった。
【０００６】
本発明の目的は、棚装置を動かすことなく、棚高さを変更可能にした棚装置を提供することにある。
【０００７】
【課題を解決するための手段】
本発明によると、上記課題は次のようにして解決される。
棚の前側左右杆及び後側左右杆の端部を、１対の前側支柱及び１対の後側支柱に、ある高さ位置で着脱することにより、上記棚高さを変更するようにした棚装置において、上記棚の前側左右杆及び後側左右杆の端部の１対の前側支柱及び１対の後側支柱への着脱を、上記１対の前側支柱の前面に設けた係止孔、及び上記１対の後側支柱の前面に設けた係止孔に、上記棚の前側左右杆及び後側左右杆の端部に設けた係止爪を、上方から下方へ引っ掛けて係止することにより行うようにし、かつ前側支柱の後面に、間隔を有する左右１対の後向きの突片を突設するとともに、後側支柱の前面に、間隔を有する左右１対の前向きの突片を突設し、左右に並ぶ上記突片の間に、前側支柱と後側支柱の間にまたがる前後渡架杆の両端部に形成した偏平部を、カラーを重合して取付ける。
【０００８】
【発明の実施の形態】
本発明の一実施形態を、添付図面を参照しながら詳細に説明する。
図１において、前方から棚の高さを変更しうる棚装置(１)は、１対の前側支柱(２)(２)及び１対の後側支柱(３)(３)を有している。
前側支柱(２)は、平面視ほぼ長方形をなす支柱本体(４)の後面における左右方向の中央部を、上端から下端にかけて開口させ、開口部(５)の両側縁に後向きの突片(６)を設けたものである。従って図１、図２に示すように、左右に隣接する突片(６)(６)の間には間隔があけられている。
【０００９】
支柱本体(４)における前面と後面の左右両側部には、多数の長孔(７)が、中心線を挟んで左右対称をなすように、上下方向に並べて穿設されている。各長孔(７)は、その下端部が中心線方向を向くように傾斜している。
長孔(７)と長孔(７)の間にはピン孔(８)が穿設されている。
突片(６)の上下３箇所には、後述する前後渡架杆である水平杆(11)及びブレース杆(12)を取り付けるための取付孔(９)が穿設されている。
【００１０】
後側支柱(３)は前側支柱(２)と前後対称形をなすものであり、後側支柱(３)は、前面に突設された突片(６)が前側支柱(２)側を向くようにして、前側支柱(２)の後方に立設されている。
【００１１】
両支柱(２)(３)の底部には、内向きの底板(10)が設けられている。
【００１２】
断面円形のパイプ状をなす水平杆(11)とブレース杆(12)は、前側支柱(２)と後側支柱(３)の突片同士を結合するためのものであり、両者の両端部は偏平部(13)(14)となっており、偏平部(13)(14)には孔(15)が穿設されている。
また、水平杆(11)とブレース杆(12)の少なくともいずれか一方には、ピン孔(８)に差し込むためのピン(図示略)が、チェーン(図示略)等を介して取り付けられている。
【００１３】
棚(16)は、前側左右杆(17)、後側左右杆(18)及びその間に渡される荷受材(19)により構成されている。
【００１４】
棚(16)の前側左右杆(17)は、図４及び図５に示すように、断面略コの字形の渡架材(20)の開口部を後側に向けて、その両端に係止材(21)を溶接により固着したものである。
【００１５】
係止材(21)は、支柱(２)の内側面と対向する側片(22)と、その前端から外向きに延出する折曲片(23)と、折曲片(23)の端から後方へ向かう３つの係止爪(24)とからなるものである。係止爪(24)は、係止孔(７)の傾きとほぼ等しい傾きで、上から下へ向かうにつれて、より外方に向かっている。
【００１６】
棚(16)の後側左右杆(18)は、図６及び図７に示すように、断面略コの字形の渡架材(20)の開口部を前側に向け、その両端に上記したのと同様の係止材(21)を溶接により固着したものである。
【００１７】
棚(16)における所要数の荷受材(19)は、前側左右杆(17)の開口部と後側左右杆(18)の開口部の間に渡架されるものである。
【００１８】
次に本実施形態の棚装置(１)の組立て要領について説明する。
工場等で製造された棚装置(１)の各部品は、棚装置(１)の設置場所で組み立てられる。
【００１９】
まず、左右両側の前側支柱(２)と後側支柱(３)とを、水平杆(11)及びブレース杆(12)により連結する。即ち、前側支柱(２)と後側支柱(３)の突片(６)の取付孔(９)に、水平杆(11)とブレース杆(12)の偏平部(13)(14)の孔(15)を重合させて、これらの孔(７)(15)にボルト(25)を通して、ナット(26)で締め付ける。
【００２０】
なお、最上部の水平杆(11)と前側支柱(２)の突片(６)との固着部（図２参照）、及び最下部の水平杆(11)と後側支柱(３)の突片(６)との固着部（図示略）には、カラー(27)が挿入されている。
また、ボルト(25)の長さを、前側支柱(２)及び後側支柱(３)の左右幅より短くして、前側支柱(２)等の突片(６)に取り付けられたボルト(25)が、前側支柱(２)等の側方にはみ出さないようにしてある。
【００２１】
前側左右杆(17)と後側左右杆(18)を荷受材(19)で連結した後、前側左右杆(17)に固着された係止材(21)の係止爪(24)を、前側支柱(２)の前面の係止孔(７)に挿入し、これと同時に、後側左右杆(18)に固着された係止材(21)の係止爪(24)を、後側支柱(３)の前面の係止孔(７)に挿入し、各係止爪(24)を降ろすと、前側左右杆(17)と後側左右杆(18)が、前側支柱(２)と後側支柱(３)にそれぞれ固定される。
次いで、図示を省略したピンを、係止材(21)と同じ高さにあるピン孔(８)に挿入すると、棚(16)の浮き上がりが防止されるようになり、棚装置(１)が完成する。
【００２２】
このように、実施形態の棚装置(１)は、前側から棚(16)の高さを変更できるので、棚装置(１)の後面が壁面等に密接しているような場合においても、棚装置(１) を動かすことなく、棚(16)の高さを容易に変更することができる。
【００２３】
また、前側支柱(２)と後側支柱(３)の前後両面に係止孔(７)を穿設してあるので、上述のように棚装置(１)の前方から棚(16)を棚装置(１)に着脱できるだけでなく、例えば棚装置(１)の前面が壁に当接しているような場合には、図２の状態から後方に向かって１８０°反転させた前側左右杆(17)と後側左右杆(18)の係止爪(24)を、棚装置(１)の後方から、前側支柱(２)と後側支柱(４)の後面の係止孔(７)に着脱することができる。
なお、前側支柱(２)と後側支柱(３)との前面のみに係止孔(７)を設けて実施することもできる。
【００２４】
この棚装置(１)は、図１の状態にある棚装置(１)と、これとは前後逆向きとした棚装置(１)とを、互いに背中合わせとして設置することもできる。
このようにして設置した場合でも、前側の棚装置(１)の棚(16)の高さは、前側の棚装置(１)の前面から容易に変更することができ、後側の棚装置(１)の棚(16)の高さは、後側の棚装置(１)の後面から容易に変更することができる。
【００２５】
また、ボルト(25)が前側支柱(２)及び後側支柱(３)の側方にはみ出さないようにしてあるので、上記のようにして組み立てた複数個の棚装置(１)を左右方向に連続して配置する場合には、隣り合う支柱(２)(３)同士を密着させることができる。
【００２６】
なお、本発明の棚装置では、前側左右杆(17)と後側左右杆(18)とを、同時に上下方向及び前後方向に動かすことにより、係止孔(７)への係脱を行うようになっているので、荷受材(19)の前側左右杆(17)及び後側左右杆(18)への取り付けは、容易には分離できない取り付け構造にしてもよく、このようにすると、棚(16)及び棚装置(１)の強度が向上する。
【００２７】
【発明の効果】
本発明によれば、以下のような効果を奏することができる。
棚の前側左右杆及び後側左右杆の端部の１対の前側支柱及び１対の後側支柱への着脱を、いずれも、支柱の前面側で行うようにしたので、作業者が棚装置の前面側で作業を行うことができ、従って作業者が棚装置の後方に回り込んだり、またはそのために棚装置を前面側に動かしたりする必要がない。
また、突片に前後渡架杆を取り付けているので、前後渡架杆を取り付けるための受具等が不要であり、部品点数を低減できるとともに、前後渡架杆の前側支柱及び後側支柱への取り付けが容易である。
さらに、前側支柱の前面や後側支柱の後面、及びこれらの側面には、突片のような突起物は存在しないので、棚装置を、壁や他の棚装置に体裁良く接続することができる。
さらに、棚の前側左右杆及び後側左右杆の端部の１対の前側支柱及び１対の後側支柱への着脱を、１対の前側支柱の前面に設けた係止孔、及び１対の後側支柱の前面に設けた係止孔に、棚の前側左右杆及び後側左右杆の端部に設けた係止爪を、上方から下方へ引っ掛けて係止するだけで行うことができるので、前側からの棚の高さの変更を、極めて容易に行うことができる。
【００２８】
しかも、前後渡架杆の端部を、強固に締着することができる。
【００２９】
【図面の簡単な説明】
【図１】  本発明の一実施形態における棚装置の斜視図である。
【図２】  同じく要部の平面図である。
【図３】  図１１のIII−III線断面図である。
【図４】  図１の前側左右杆を前側から見た平面図である。
【図５】  図４のＡ−Ａ線断面図である。
【図６】  図１の後側左右杆を前側から見た平面図である。
【図７】  図６のＢ−Ｂ線断面図である。
【符号の説明】
(１)棚装置
(２)前側支柱
(３)後側支柱
(４)支柱本体
(５)開口部
(６)突片
(７)長孔
(８)ピン孔
(９)取付孔
(10)底板
(11)水平杆(前後渡架杆)
(12)ブレース杆(前後渡架杆)
(13)(14)偏平部
(15)孔
(16)棚
(17)前側左右杆
(18)後側左右杆
(19)荷受材
(20)渡架材
(21)係止材
(22)側片
(23)折曲片
(24)係止爪
(25)ボルト
(26)ナット
(27)カラー
【図１】
0003643893.tif 000002
【図２】
0003643893.tif 000003
【図３】
0003643893.tif 000004
【図４】
0003643893.tif 000005
【図５】
0003643893.tif 000006
【図６】
0003643893.tif 000007
【図７】
0003643893.tif 000008